(57)【要約】【課題】  ローラの結合軸に毛髪が絡まることが防止されるとともに、十分なマッサージ効果が得られるマッサージ機を提供すること。【解決手段】  マッサージ機１は、モータ１０、回転軸２０、複数の結合軸３０、複数のローラ４０及びカバー部材５０を備える。回転軸２０軸方向Ｚの一端側の第１端部２０ａが上記モータに接続されている。結合軸３０は軸方向Ｚの他端側の第２端部２０ｂに設けられるとともに、軸方向Ｚから見て回転軸２０を中心に放射状に延びている。複数のローラ４０は結合軸３０の第２端部３０ｂを覆うように設けられている。カバー部材５０は回転軸２０及び結合軸３０を覆うとともに、複数のローラ４０の間に配設されている。そして回転軸２０が回動することにより、複数のローラ４０は結合軸３０及びカバー部材５０とともに回転軸２０を中心に回動するように構成されている。【選択図】図３
2015104422.tif 000002
【特許請求の範囲】
【請求項１】
モータと、
軸方向の第１端部が上記モータに接続されている回転軸と、
該回転軸における軸方向の第２端部に設けられるとともに、軸方向から見て上記回転軸を中心に放射状に延びる複数の結合軸と、
該結合軸の先端を覆うように設けられている複数のローラと、
上記回転軸及び上記結合軸を覆うとともに、上記複数のローラの間に配設されているカバー部材と、
を備え、
上記回転軸が回動することにより、上記複数のローラは上記結合軸及び上記カバー部材とともに上記回転軸を中心に回動するように構成されていることを特徴とするマッサージ機。
【請求項２】
上記カバー部材は上記回転軸を軸方向から上記結合軸近傍まで覆う中央部と、該中央部から隣り合う上記結合軸及び上記ローラの間に延設された延設部とを備え、該延設部は上記中央部から離れるにつれて上記モータ側に近づくように形成されていることを特徴とする請求項１に記載のマッサージ機。
【請求項３】
上記複数の結合軸は結合軸基台を介して上記回転軸の第２端部に取り付けられているとともに、上記結合軸基台は上記回転軸の第２端部に着脱可能に取り付けられており、上記カバー部材は上記結合軸基台に着脱可能に取り付けられていることを特徴とする請求項１又は２に記載のマッサージ機。
【請求項４】
上記モータはハウジングに収納されており、該ハウジングの上記ローラ側の端部には上記複数のローラの回動軌跡を囲むように突出するリブが備えられているとともに、該リブの先端は周方向に沿って軸方向に波打つ形状を呈していることを特徴とする請求項１〜３のいずれか一項に記載のマッサージ機。
【請求項５】
上記リブは軸方向から見たときに上記リブの輪郭線と上記ローラの回動軌跡との距離が周方向において変化する形状を呈しており、該距離が最も大きい位置の上記リブの突出量が最も大きいことを特徴とする請求項１〜４のいずれか一項に記載のマッサージ機。
【請求項６】
上記ローラは上記回転軸を中心に等間隔に３個備えられていることを特徴とする請求項１〜５のいずれか一項に記載のマッサージ機。
【発明の詳細な説明】
【技術分野】
【０００１】
本発明は、マッサージ機に関する。
【背景技術】
【０００２】
従来、回転軸の先端に回動可能に配設された複数のローラによって肌を押圧等するマッサージ機がある。例えば、特許文献１には、複数のローラは回転軸の先端に放射状に設けられた結合軸を介して設けられており、回転軸が回動することによってローラが回転軸を中心に回動運動する構成が開示されている。そして、かかる構成では、使用時に毛髪が回転軸や結合軸に絡むことを防止するために、当該マッサージ機のローラ側全体が布状のカバーによって覆われている。
【先行技術文献】
【特許文献】
【０００３】
【特許文献１】実用新案登録第３１７４８６４号
【発明の概要】
【発明が解決しようとする課題】
【０００４】
しかしながら、特許文献１に開示の構成では、ローラは円盤状であって、その中心の貫通孔に結合軸が挿入されて回動可能に設けられており、結合軸の先端はローラから突出している。そのため、ローラ表面の内、結合軸の先端が突出している側は肌に接触させることができない。これにより、ローラと肌との接触面積が十分に得られないため、ローラによる押圧効果が十分に得られない。また、特許文献１に開示の構成では、布状のカバーにより毛髪がローラの結合軸及び回転軸に絡まることは防止されているが、ローラと肌との間にカバーが介在することとなるため、複数のローラによる肌の摘み上げ効果が十分に発揮されない。これらのように、ローラによる押圧効果や摘み上げ効果などのマッサージ効果を十分に発揮させるためには改良の余地がある。
【０００５】
本発明は、かかる問題点に鑑みてなされたもので、ローラの結合軸及び回転軸に毛髪が絡まることが防止されるとともに、十分なマッサージ効果が得られるマッサージ機を提供しようとするものである。
【課題を解決するための手段】
【０００６】
本発明の一態様は、モータと、
軸方向の第１端部が上記モータに接続されている回転軸と、
該回転軸における軸方向の第２端部に設けられるとともに、軸方向から見て上記回転軸を中心に放射状に延びる複数の結合軸と、
該結合軸の先端を覆うように設けられている複数のローラと、
上記回転軸及び上記結合軸を覆うとともに、上記複数のローラの間に配設されているカバー部材と、
を備え、
上記回転軸が回動することにより、上記複数のローラは上記結合軸及び上記カバー部材とともに上記回転軸を中心に回動するように構成されていることを特徴とするマッサージ機にある。
【発明の効果】
【０００７】
上記マッサージ機においては、結合軸の先端はローラによって覆われているため、結合軸の先端はローラから外側に突出していない。そのため、ローラの表面のより広い範囲を肌に接触させることができる。これにより、ローラによる押圧効果が向上する。さらに、カバー部材は複数のローラの間に配設されているため、カバー部材がローラと肌との間に介在することがない。その結果、毛髪が回転軸及び結合軸に絡まることが防止されるとともに、複数のローラが肌に直接接触することによって、ローラによる肌の摘み上げ効果が向上する。さらに、カバー部材は複数のローラとともに回動するため、カバー部材によって毛髪が回転軸及び結合軸に絡まることが効果的に防止される。
【０００８】
以上のごとく、本発明によれば、ローラの結合軸及び回転軸に毛髪が絡まることが防止されるとともに、十分なマッサージ効果が得られるマッサージ機を提供することができる。
【図面の簡単な説明】
【０００９】
【図１】実施例１における、キャップを取り外した状態のマッサージ機の正面図。
【図２】実施例１における、キャップを取り外した状態のマッサージ機の上面図。
【図３】実施例１における、図１におけるIII-III線断面図。
【図４】実施例１における、マッサージ機の分解斜視図。
【図５】図３の一部拡大図。
【図６】実施例１における、スイッチボタン及びガイド部材の背面図。
【図７】変形例における、図１のIII-III線相当断面図。
【発明を実施するための形態】
【００１０】
上記カバー部材は上記回転軸を軸方向から上記結合軸近傍まで覆う中央部と、該中央部から隣り合う上記結合軸及び上記ローラの間に延設された延設部とを備え、該延設部は上記中央部から離れるにつれて上記モータ側に近づくように形成されていることが好ましい。これにより、カバー部材によって、ローラの表出領域が広く確保されるため、ローラと肌との接触面積をより大きくすることができ、マッサージ効果が一層向上する。
【００１１】
上記複数の結合軸は結合軸基台を介して上記回転軸の第２端部に取り付けられているとともに、上記結合軸基台は上記回転軸の第２端部に着脱可能に取り付けられており、上記カバー部材は上記結合軸基台に着脱可能に取り付けられていることが好ましい。これにより、カバー部材は取り外し可能であるとともに、結合軸及びローラも取り外し可能であるため、カバー部材、結合軸及びローラの洗浄が容易となり、当該マッサージ機を清潔な状態に保つことが容易となる。また、カバー部材、結合軸及びローラを他の新たなカバー部材、結合軸及びローラと取り換えることが容易となる。
【００１２】
上記モータはハウジングに収納されており、該ハウジングの上記ローラ側の端部には上記複数のローラの回動軌跡を囲むように突出するリブが備えられているとともに、該リブの先端は周方向に沿って軸方向に波打つ形状を呈していることが好ましい。これにより、万が一、カバー部材とローラとの隙間に毛髪が入り込んで回転軸や結合軸に絡まりそうになった場合でも、ローラの回動に伴って、当該毛髪が軸方向に波打つ形状のリブに沿って、径方向外側に押し出され易くになる。これにより、毛髪が回転軸や結合軸に絡まることが一層防止される。
【００１３】
上記リブは軸方向から見たときに上記リブの輪郭線と上記ローラの回動軌跡との距離が周方向において変化する形状を呈しており、該距離が最も大きい位置の上記リブの突出量が最も大きいことが好ましい。回動軌跡からの距離が最も大きい位置では他の位置に比べてカバー部材とハウジングとの隙間に毛髪が入り込みやすいが、かかる位置のリブの突出量が大きいため、当該隙間に毛髪が入り込むことが効果的に防止され、毛髪が回転軸や結合軸に絡まることが一層防止される。
【００１４】
上記ローラは上記回転軸を中心に等間隔に３個備えられていることが好ましい。これにより、各ローラの大きさを十分大きくすることができるとともに、各ローラが肌に対して適度なバランスで接触することとなるため、マッサージ効果が一層向上する。
【実施例】
【００１５】
（実施例１）
本例の実施例に係るマッサージ機につき、図１〜図６を用いて説明する。
本例のマッサージ機１は、図３に示すように、モータ１０、回転軸２０、結合軸３０、ローラ４０及びカバー部材５０を備える。
回転軸２０の軸方向Ｚの第１端部２０ａはモータ１０に接続されている。
結合軸３０は、複数（本例では３個）備えられており、回転軸２０における軸方向Ｚの第２端部２０ｂに設けられるとともに、図２に示すように、軸方向Ｚから見て回転軸２０の軸心Ｃを中心として放射状に延びている。
ローラ４０は、複数（本例では３個）を備えられており、結合軸３０の先端３０ａを覆うように設けられている。
カバー部材５０は、回転軸２０及び結合軸３０を覆うとともに、複数のローラ４０の間に配設されている。
マッサージ機１では、回転軸２０が回動することにより、複数のローラ４０が結合軸３０及びカバー部材５０とともに回転軸２０を中心に回動するように構成されている。
なお、軸方向Ｚにおいて、回転軸２０の第２端部２０ｂから第１端部２０ａへ向かう方向を第１方向Ｚ１とし、反対方向を第２方向Ｚ２とする。
【００１６】
以下、本例のマッサージ機１について、詳述する。
図３、図４に示すように、モータ１０は、モータ本体１１とギアボックス１２とを備える。ギアボックス１２はシャフト１２ａを備える。ギアボックス１２はモータ本体１１に接続されており、モータ本体１１の回転力がシャフト１２ａに伝達される。ギアボックス１２の内部には複数のギア（図示せず）が備えられている。ギアの枚数や大きさは、モータ本体１１の回転力がシャフト１２ａに伝達される際に最適なトルクが得られるように適宜選択される。モータ１０は略円柱状に形成されており、モータ本体１１とギアボックス１２は、軸方向Ｚに沿って配列している。
【００１７】
図３、図４に示すように、モータ１０はモータ基台６１に取り付けられている。モータ基台６１には、その中央に円筒状のモータ保持部６１ａが形成されており、モータ保持部６１ａの周囲には電池保持部６１ｂが形成されている。電池保持部６１ｂには、電池金具６３とスプリング６４とが備えられており、これらが電池保持部６１ｂに保持される電池６５の一方の電極（本例では負極）と接触される。さらに、電池保持部６１ｂの外周側には、貫通孔６１ｃが３カ所形成されている。
【００１８】
モータ基台６１は、図３、図４に示すように、貫通孔６１ｃにハウジング６０の内部に形成されたボス６０ａが挿通されて、ハウジング６０の内部に配設されている。ハウジング６０は円筒状であって、軸方向Ｚの第１方向Ｚ１側から軸方向Ｚの第２方向Ｚ２側に向かって広がる形状を成している。そして、図２に示すように、ハウジング６０は軸方向Ｚから見ると、等間隔の３方向に緩やかに突出した略三角形状となっている。
【００１９】
ハウジング６０の第２方向Ｚ２側はハウジングカバー６２により覆われている。ハウジングカバー６２にはネジ孔６２ａが形成されている。ネジ６２ｂがネジ孔６２ａに挿通されて、ハウジング６０のボス６０ａに螺入されている。これにより、ハウジングカバー６２がハウジング６０の内部に固定されている。そして、モータ基台６１及びモータ１０はハウジング６０の内部に収納されている。
【００２０】
ハウジング６０の軸方向Ｚの第１方向Ｚ１側の端部には電池カバー７０が着脱可能に取り付けられている。電池カバー７０には、電極基台７２を介してネジ７３によって電極７１が取り付けられている。
【００２１】
ハウジング６０の軸方向Ｚの第１方向Ｚ１側から、ハウジング６０の内部に配設されたモータ基台６１の電池保持部６１ａに電池６５が挿入されて、電池カバー７０がハウジング６０の第１方向Ｚ１側に取り付けられる。
【００２２】
図３、図４に示すように、ハウジング６０の内部に収納されたモータ１０のシャフト１２ａには、ハウジングカバー６２の中央に設けられた孔６３を通じて、回転軸２０が取り付けられている。回転軸２０は、長さが２０．６５ｍｍのアルミ合金製である。回転軸２０の第１方向Ｚ１側の第１端部２０ａは断面Ｄ形の柱状を成している。回転軸２０の第２方向Ｚ２側の第２端部２０ｂは六角柱状を成している。回転軸２０の軸心部には軸心Ｃに沿ってシャフト１２ａが挿入される挿入孔２１が形成されている。また、回転軸２０の第１端部２０ａには、軸方向Ｚの法線方向に沿ってネジ孔２２が形成されている。ネジ孔２２にイモネジ２３が螺入されることによって、回転軸２０がシャフト１２ａに固定されている。
【００２３】
図３に示すように、回転軸２０の第２方向Ｚ２側の第２端部２０ｂには、結合軸基台３１が取り付けられている。結合軸基台３１の第１方向Ｚ１側には回転軸２０の第２端部２０ｂに接続される回転軸接続部３２が形成されており、第２方向Ｚ２側には結合軸３０が取り付けられる結合軸取付部３３が形成されている。
【００２４】
回転軸接続部３２は、回転軸２０の第２端部２０ｂの外形に沿う六角柱状の中空部を有しており、該中空部を形成する壁面の一部に、該中空部の内側に向かって突出する係合爪３２ａが形成されている。結合軸基台３１の回転軸接続部３２内に回転軸２０の第２端部２０ｂが収納されるとともに、係合爪３２ａが回転軸２０の第２端部２０ｂにおける第１方向Ｚ１側の縁部２０ｃに係合することにより、結合軸基台３１は、回転軸２０の第２端部２０ｂに着脱可能に取り付けられている。
【００２５】
図５に示すように、結合軸基台３１の結合軸取付部３３には、インサート成形によって結合軸３０の第１端部３０ａが埋入されている。結合軸３０はステンレス製の円柱状部材であって、その軸方向の長さは１９．２７ｍｍであり、その直径は４．０ｍｍである。第１端部３０ａには周方向に溝が形成されており、結合軸取付部３３からの抜けが防止されている。図２に示すように、結合軸３０は、軸方向Ｚから見て、軸心Ｃを中心に等間隔に配置されている。すなわち、各結合軸３０の軸線Ｌにおいて互いのなす角αはいずれも１２０°になっている。また、図５に示すように、結合軸３０の軸線Ｌと軸心Ｃとのなす角βは、８０°である。これにより、結合軸３０の先端（第２端部３０ｂ）は結合軸３０の基部（第１端部３０ａ）よりも、軸方向Ｚの第２方向Ｚ２側に位置している。なお、なす角βは、ローラ４０の直径やローラ４０の個数などにより、必要とされる肌への押圧効果と摘み上げ効果を考慮して適宜変更できる。例えば、ローラ４０の直径が１０〜２５ｍｍの場合には、なす角βは６０°〜９０°とすることができる。
【００２６】
ローラ４０は、図１、図２に示すように、３個備えられている。図５に示すように、ローラ４０はローラブッシュ８０を介して各結合軸３０の第１端部３０ａと反対側の先端である第２端部３０ｂにそれぞれ取り付けられている。ローラ４０の直径は、１０〜２５ｍｍとすることができ、本例では２０．０ｍｍである。ローラ４０は結合軸３０の軸線Ｌに垂直な方向に二等分されてなる半球状の第１インナーローラ４１及び第２インナーローラ４２を備える。第１インナーローラ４１、第２インナーローラ４２はいずれもＡＢＳ樹脂製である。第１インナーローラ４１には、ローラ４０の中心を通って径方向に貫通する貫通孔４１ａが形成されている。貫通孔４１ａは第２インナーローラ４２側が拡径されて拡径部４１ｂが形成されている。これにより、貫通孔４１ａと拡径部４１ｂとの境界に段差部４１ｃが形成されている。
【００２７】
ローラブッシュ８０は、ＰＯＭ（ポリアセタール）樹脂製であって、略円筒形状を成している。図５に示すように、ローラブッシュ８０の側面の中間部には、外周側に突出する係合爪８１が形成されているとともに、一端側（軸心Ｃに近い側）には径方向外側に若干膨出している膨出部８２が形成されている。ローラブッシュ８０は、第１インナーローラ４１の貫通孔４１ａに差し込まれることにより、係合爪８１が第１インナーローラ４１の段差部４１ｃに係合される。さらに、ローラブッシュ８０の膨出部８２が貫通孔４１ａの外側縁部に引っかかることにより、ローラブッシュ８０が第１インナーローラ４１に係合固定される。
【００２８】
ローラブッシュ８０の円筒内部８３の内径は４．１ｍｍであって結合軸３０の外径よりもよりもごくわずかに大きい。また、ローラブッシュ８０の円筒軸方向の長さは１３．７５ｍｍであって結合軸３０の長さよりも短い。そのため、結合軸３０はローラブッシュ８０の円筒内部８３に容易に挿入されるとともに、結合軸３０の先端（第２端部３０ｂ）はローラブッシュ８０を貫通してローラブッシュ８０の外側に突出する。そして、結合軸３０の第２端部３０ｂに形成された周方向の溝にＣリング３５がはめ込まれることによって、結合軸３０が第１インナーローラ４１に係止されるとともに、ローラブッシュ８０が結合軸３０に摺動可能に取り付けられることとなる。
【００２９】
そして、球状となるように第１インナーローラ４１に第２インナーローラ４２が取り付けられる。第２インナーローラ４２の内側には凹部４２ａが形成されている。結合軸３０の第２端部３０ｂを当該凹部４２ａに入り込ませることにより、第２端部３０ｂが第２インナーローラ４２で覆われる。球状となった第１インナーローラ４１と第２インナーローラ４２とがアウターローラ４３によって被覆されてローラ４０が形成されており、結合軸３０の先端（第２端部３０ｂ）は、ローラ４０によって覆われている。これにより、ローラブッシュ８０を介して、ローラ４０が結合軸３０に回動可能に配設されている。そして、回転軸２０が軸回転することにより、ローラ４０は結合軸基台３１とともに軸心Ｃを中心に軸回転する。なお、ローラ４０の表面にはクロムメッキが施されている。
【００３０】
図３に示すように、結合軸基台３１の結合軸取付部３３には、ポリプロピレン樹脂製のカバー部材５０が取り付けられている。カバー部材５０は中央部５１、延設部５２及び取付脚部５３を有する。中央部５１は回転軸２０を軸方向Ｚから結合軸３０近傍まで覆っている。延設部５２は中央部５１から隣り合う結合軸３０及びローラ４０の間に延設されている。そして、延設部５２は中央部５１から離れるにつれてモータ１０側に近づくように形成されている。
【００３１】
カバー部材５０の取付脚部５３は、カバー部材５０の内面（ハウジングカバー６２に対向する面）に３個形成されている。取付脚部５３の先端には係合爪５３ａが形成されている。結合軸取付部３３の外周面には係合溝３４が３カ所形成されている。図２に示すように、結合軸取付部３３の係合溝３４は、軸方向Ｚから見て結合軸３０の間にそれぞれ形成されている。係合爪５３ａが係合溝３４に係合することにより、カバー部材５０は、結合軸取付部３３に着脱可能に取り付けられている。
【００３２】
図２に示すように、カバー部材５０は、軸方向Ｚからみてローラ４０の間に位置する外縁部５２ａは、軸心Ｃを中心とする直径４４．０ｍｍの仮想円（図示せず）に沿っており、それ以外の部分に位置する外縁部５２ｂは、それぞれのローラ４０の表面に沿うように切り欠かれている。本例では、延設部５２は、中央部５１からモータ１０側に向かって湾曲して、外縁部５２ａの近傍ではハウジングカバー６２に略平行となっている。このように、カバー部材５０によってローラ４０のハウジング６０側の一部が覆われているが、ローラ４０の表面の半分以上がカバー部材５０によって覆われておらず、露出している。
【００３３】
図１に示すように、ハウジング６０の正面略中央には、スイッチボタン９０が設けられている。スイッチボタン９０は、図３、図４に示すスイッチ基板９１に実装されたスライドスイッチ９１ａに連結されている。スイッチ基板９１はモータ１０に電気的に接続されている。スイッチボタン９０が第１方向Ｚ１側にスライドされると、モータ１０のシャフト１２ａが正方向に回転し、スイッチボタン９０が第２方向Ｚ２側にスライドされると、シャフト１２ａが逆方向に回転する。スイッチボタン９０が中央位置（停止位置）に戻されるとモータ１０が停止する。このように、スイッチボタン９０によってモータ１０のオン／オフと回転方向とが制御される。
【００３４】
図３に示すように、スイッチボタン９０の裏面側には、ガイド部材９２が備えられている。ガイド部材９２は樹脂製の枠状部材であって、図６に示すように、スイッチボタン９０のスライド方向（軸方向Ｚ）に沿う長辺部９２ａとスライド方向に直交する短辺部９２ｂとを有する。対向する長辺部９２ａの対向面にはそれぞれ所定間隔をあけて設けられた一対のガイド突起９２ｃが形成されている。一方、スイッチボタン９０の裏面には、スライドスイッチ９１ａに連結される連結部９３が突出形成されている。連結部９３は対向する長辺部９２ａの間に位置しており、連結部９３の側面（長辺部９２ａに対向する面）には長辺部９２ａ側に突出するスライド突起９３ａが形成されている。
【００３５】
スイッチボタン９０が停止位置にある場合は、スライド突起９３ａは一対の突起９２ｃの間に位置している。スイッチボタン９０を軸方向Ｚのいずれか一方にスライドしようとすると、スライド突起９３ａとガイド突起９２ｃとが干渉する。そして、スライド突起９３ａがガイド突起９２ｃを乗り越えるとスイッチボタン９０がスライドされる。これにより、スイッチボタン９０がスライドされる際に適度な抵抗を生じさせるため、スイッチボタン９０に軽く物が触れた場合にスイッチボタン９０がスライドされて、不意にモータ１０がオンまたはオフされることが防止される。また、スイッチボタン９０がガイド突起９２ｃを乗り越えることによってスイッチボタン９０をスライドさせる際にクリック感を生じさせることができ、操作感が向上される。
【００３６】
図１〜図３に示すように、ハウジング６０のローラ４０側の端部には、リブ６６が立設されている。リブ６６は、ハウジングカバー６２よりも第２方向Ｚ２側（ハウジング６０から見てローラ４０側）に向かって突出している。リブ６６は、図２に示すように、軸方向Ｚから見てローラ４０の回動軌跡Ｒを囲むように形成されている。なお、回動軌跡Ｒの直径は５２．０ｍｍであるが、４０〜５３ｍｍとすることができる。そして、ハウジング６０のローラ４０側の端部の外周全域に形成されている。そして、図１、図３に示すように、リブ６６の先端６７は周方向に沿って軸方向Ｚに波打つ形状を呈している。
【００３７】
そして、図２に示すように、軸方向Ｚから見てリブ６６の外形は等間隔の３方向に緩やかに突出した略三角形状を成しており、リブ６６は軸方向Ｚから見たときにリブ６６の輪郭線６７ａとローラ４０の回動軌跡Ｒとの距離ｄが周方向において変化する形状を呈している。リブ６６の略三角形状の頂点に相当する三つの位置（離隔部）６６ａでは回動軌跡Ｒからの距離ｄが最も大きく、図１、図３に示すように、リブ６６の突出量ｈも最も大きい。離隔部６６ａの突出量（高さ）ｈは１４．０ｍｍである。一方、リブ６６ローラ４０の回動軌跡Ｒからの距離ｄが最も小さい三つの位置（近接部）６６ｂでは、軸方向Ｚへの突出量（高さｈ）が、図１、図３に示すように、最も小さくなっている。近接部６６ｂの高さｈは７．０ｍｍである。すなわち、リブ６６の突出量ｈの範囲は、７．０〜１４．０ｍｍとなっている。なお、リブ６６の突出量ｈは、ローラ４０の大きさや、結合軸３０同士のなす角の大きさや、軸方向Ｚから見たときのハウジング６０の形状等を考慮して適宜調整することができる。
【００３８】
図４に示すように、ローラ４０の第２方向Ｚ２側には、ローラ４０を覆うキャップ９５が設けられている。キャップ９５には、キャップ突起９５ａが第１方向Ｚ１側に突出形成されている。キャップ９５は、キャップ突起９５ａを介してハウジング６０に係合されることにより、ハウジング６０に着脱可能に取り付けられている。
【００３９】
次に、本例のマッサージ機１における作用効果について、詳述する。
マッサージ機１では、結合軸３０の第２端部３０ｂはローラ４０によって覆われているため、結合軸３０の第２端部３０ｂはローラ４０から外側に突出していない。そのため、ローラ４０の表面のより広い範囲を肌に接触させることができる。これにより、ローラ４０による押圧効果を向上することができる。さらに、カバー部材５０は複数のローラ４０の間に設けられているため、カバー部材５０がローラ４０と肌との間に介在することがない。その結果、カバー部材５０によって毛髪が回転軸２０及び結合軸３０に絡まることが防止されるとともに、複数のローラ３０が肌に直接接触することによって、ローラ４０による肌の摘み上げ効果が向上する。毛髪が結合軸３０に絡まることが防止されるため、特に顔や首等の毛髪に近い部位に好適に使用される。さらに、カバー部材５０はローラ４０とともに回動するため、カバー部材５０によって毛髪が回転軸２０及び結合軸３０に絡まることが効果的に防止される。
【００４０】
また、カバー部材５０は回転軸２０を軸方向Ｚから結合軸３０近傍まで覆う中央部５１と、中央部５１から隣り合う結合軸２０及びローラ４０の間に延設された延設部５２とを備え、延設部５２は中央部５１から離れるにつれてモータ１０側に近づくように形成されている。これにより、カバー部材５０によって、ローラ４０の表出領域が広く確保されるため、ローラ４０と肌との接触面積をより大きくすることができ、マッサージ効果が一層向上する。
【００４１】
また、結合軸３０は結合軸基台３１を介して回転軸２０の第２端部３０ｂに取り付けられているとともに、結合軸基台３１は回転軸２０の第２端部３０ｂに着脱可能に取り付けられている。そして、カバー部材５０は結合軸基台３１に着脱可能に取り付けられている。これにより、カバー部材５０は取り外し可能であるとともに、結合軸３０及びローラ４０も取り外し可能であるため、カバー部材５０、結合軸３０及びローラ４０を細部にわたって容易に洗浄することができ、マッサージ機１を清潔な状態に保つことが容易となる。また、カバー部材５０、結合軸３０及びローラ４０を他の新たなカバー部材、結合軸及びローラと取り換えることが容易となる。
【００４２】
モータ１０はハウジング６０に収納されており、該ハウジング６０のローラ４０側の端部には複数のローラ４０の回動軌跡Ｒを囲むように突出するリブ６６が備えられているとともに、該リブ６６の先端６７は周方向に沿って軸方向Ｚに波打つ形状を呈している。これにより、万が一、ローラ４０とカバー部材５０との隙間に毛髪が入り込んで回転軸２０や結合軸３０に絡まりそうになった場合でも、ローラ４０の回動に伴って、当該毛髪が軸方向Ｚに波打つリブ６６に沿って、径方向外側に押し出され易くなる。これにより、毛髪が回転軸２０や結合軸３０に絡まることが一層防止される。
【００４３】
また、リブ６６は軸方向Ｚから見たときにリブ６６の輪郭線６７ａとローラ４０の回動軌跡Ｒとの距離ｄが周方向において変化する形状を呈しており、該距離ｄが最も大きい位置のリブ６６の突出量ｈが最も大きい。回動軌跡Ｒから最も離隔した離隔部６６ａではカバー部材５０とハウジング６０との隙間に毛髪が入り込みやすいが、かかる位置においてリブ６６の突出量ｈが最も大きいため、当該隙間に毛髪が入り込むことが効果的に防止され、毛髪が回転軸２０や結合軸３０に絡まることが一層防止される
【００４４】
また、ローラ４０は回転軸２０を中心に等間隔に３個備えられている。これにより、各ローラ４０の大きさを十分大きくすることができるとともに、各ローラ４０が肌に対して適度なバランスで接触することとなるため、マッサージ効果を一層向上することができる。
【００４５】
なお、スイッチボタン９０はスライドスイッチ９１ａが設けられていることとしたが、これに替えて、マイコン制御によるプッシュボタン式のものを採用してもよい。
【００４６】
また、本例のカバー部材５０は、延設部５２は中央部５１からモータ１０側に湾曲して、外縁部５２ａの近傍ではハウジングカバー６２に沿って略平行となる程度に、モータ１０側に十分近づけられている。これによって、ローラ４０の表面の広い範囲が露出されることからローラ４０と肌との接触面積を広く確保することができ、押圧効果が向上するとともに、毛髪が回転軸２０や結合軸３０に絡まることが一層防止される。
【００４７】
なお、カバー部材５０（図３）に替えて、図７に示すように、中央部５１０から延設されている延設部５２０が外縁部５２０ａに向かってモータ１０と反対側に緩やかに湾曲しているカバー部材５００が使用されてもよい。この場合には、本例に比べて、毛髪の回転軸２０及び結合軸３０への絡まりを防止する効果は若干劣るが、その他の作用効果については本例と同等である。
【００４８】
ローラ４０の形状は、球形の他に、楕円球形、これらの形状を組み合わせた形状を採用してもよい。また、ローラ４０の表面に、種々の形状による凹凸や突起を設けてもよい。また、ローラ４０はそれぞれ単一の部材から構成されていてもよいし、２以上の部材を組み合わせて構成されていてもよい。また、一個の結合軸３０に一個のローラ４０を取り付けることはもちろん、一つの結合軸３０に複数のローラ４０を取り付けてもよい。また、複数備えられるローラ４０の内、一部が他のローラ材４０と異なる形態であってもよい。
【００４９】
なお、本例では、結合軸３０の第１端部３０ａが結合軸基台３１に固定されているとともに、結合軸３０の第２端部３０ｂにローラ４０が回動可能に配設されていることとした。これに替えて、結合軸３０の第１端部３０ａが結合軸基台３１に回動可能に配設されているとともに、結合軸３０の第２端部３０ｂにローラ４０が固定されていることとしてもよい。
【００５０】
電池保持部６１ｂには３個の電池６５がいずれも負極側から挿入されて電気的に接続される。これにより、使用される電池６５がすべて同じ向きに挿入されることとなるため、電池６５の挿入向きの間違えを抑制できる。
【００５１】
本例では、モータ１０の駆動電源として電池を使用したが、これに替えて、充電可能なバッテリを備えることとしてもよい。また、当該駆動電源として太陽電池を使用してもよい。また、家庭用コンセントから電力が供給されるようにしてもよい。
【００５２】
以上のごとく、本例によれば、ローラ４０の結合軸３０及び回転軸２０に毛髪が絡まることが防止されるとともに、十分なマッサージ効果が得られるマッサージ機１が提供される。
【符号の説明】
【００５３】
１  マッサージ機
１０  モータ
２０  回転軸
３０  結合軸
３１  結合軸基台
４０  ローラ
５０，５００  カバー部材
６０  ハウジング
６６  リブ
９０  スイッチボタン
【図１】
2015104422.tif 000003
【図２】
2015104422.tif 000004
【図３】
2015104422.tif 000005
【図４】
2015104422.tif 000006
【図５】
2015104422.tif 000007
【図６】
2015104422.tif 000008
【図７】
2015104422.tif 000009